(57)【要約】      （修正有）【課題】管体の接続構造について、接続作業の際、取り合い調整が可能で、且つ簡易確実に接続を行うと共に、必要に応じて接続を解除して分離することも行うことができる、管体の接続構造を提供する。【解決手段】管体の接続箇所に用いられる管体の接続構造を、一方の管体に設けられた、同一の外側断面形状が軸に沿って連続する樹脂材からなる挿入管部１と、他方の管体に設けられた、該挿入管部１が挿入される受入管部２と、該受入管部２に、少なくとも受入管部２の軸方向に対して固定されると共に、挿入管部１の側面に食い込んで咬止する咬止刃を備えた咬止部材３と、から構成する。【選択図】図２
2016003702.tif 000002
【特許請求の範囲】
【請求項１】
管体の接続箇所に用いられる、管体の接続構造であって、
一方の管体に設けられた、同一の外側断面形状が軸に沿って連続する樹脂材からなる挿入管部１と、
他方の管体に設けられた、該挿入管部１が挿入される受入管部２と、
該受入管部２に、少なくとも受入管部２の軸方向に対して固定されると共に、挿入管部１の側面に食い込んで咬止する咬止刃４を備えた咬止部材３と、
からなる管体の接続構造。
【請求項２】
上記管体の接続構造において、
咬止部材３を、受入管部２の軸方向に対して固定した後、
挿入管部１を受入管部２に挿入することで、挿入管部１を咬止部材３に咬止させることを特徴とする、請求項１に記載の管体の接続構造。
【請求項３】
上記管体の接続構造において、
咬止部材３を挿入管部１に仮止めした後、
咬止部材３と共に挿入管部１を受入管部２に挿入することで、
受入管部２が咬止部材３を、受入管部２の軸方向に対して固定すると共に、
咬止部材３が挿入部材を、受入管部２の軸方向に対して固定することを特徴とする、請求項１に記載の管体の接続構造。
【請求項４】
上記管体の接続構造において、
咬止部材３を受入管部２に対して仮止めすると共に、
挿入管部１を咬止部材３に対して仮止めした後、
咬止部材３と受入管部２の軸方向への確実な固定、及び挿入管部１と受入管部２との確実な咬止を行う固定部材５を接続することを特徴とする、請求項１に記載の管体の接続構造。
【請求項５】
上記管体の接続構造において、
挿入管部１が軸方向視円形形状を成すと共に、
咬止部材３と受入管部２の軸方向への固定が行われた状態で、受入管部２に対し挿入管部１が回転可能に接続されてなることを特徴とする、
請求項１乃至請求項４のいずれか一つに記載の管体の接続構造。
【請求項６】
上記管体の接続構造において、咬止刃４が挿入管部１の周縁に沿って配置されたことで、受入管部２に対し挿入管部１が回転可能に接続されてなることを特徴とする、
請求項５に記載の管体の接続構造。
【請求項７】
上記管体の接続構造において、咬止刃４が挿入管部１の中心軸方向に沿って複数設けられていることを特徴とする、
請求項１乃至請求項６のいずれか一つに記載の管体の接続構造。
【請求項８】
上記管体の接続構造において、挿入管部１と受入管部２の接続が完了したことを表示する表示窓６を設けると共に、
該表示窓６への操作によって、挿入管部１と受入管部２の接続を解除することが可能に構成されたことを特徴とする、請求項１乃至請求項７のいずれか一つに記載の管体の接続構造。
【発明の詳細な説明】
【技術分野】
【０００１】
本発明は、管体の接続構造に関するものであって、特に詳しくは、排水機器等の接続に用いられる管体の接続構造において、必要に応じて管体の長さ調整を行う必要がある場合に、管体を切断等の方法で長さ調整しつつ、接続及び着脱を簡易・確実に行う為の、管体の接続構造に関するものである。
【背景技術】
【０００２】
従来より、排水を生じ、または通過させる機器（以下「排水機器」と記載）について、それらの接続に用いられる管体の接続をいかに行うかが問題となっていた。以下に具体的に説明する。
特許文献１に記載の従来例の排水器機器の接続構造は、円筒形状にして、途中部分の外側面に、傾斜面を有する係止用の爪部を備えた挿入管部と、円筒形状にして、途中部分の内周面に係止用の凹部となる収容部を備えた受入管部と、該収容部内において挿入管部と受入管部との水密的な接続を行う為のパッキングと、から構成されてなる。
上記のように構成された、排水機器の接続構造は、収容部内にパッキングを収容した状態で、受入管部に挿入管部を挿入し、傾斜面を利用して爪部を強引に挿入管部に押し込み、収容部の凹部に挿入管部の爪部を係合させることで両者を接続させていた。
上記のように構成し、接続することで、管体の接続を、差し込むだけという容易且つ確実な方法で行うことができるとともに、挿入管部から受入管部、或いはその逆方向に排水等が流入出しても、支障なく排水を処理することができる。また、特許文献１に記載の従来例では、収容部に収容されているパッキングが、挿入管部と受入管部の間をシールすることで、回動自在且つ水密的な接続を可能としている。
【０００３】
【特許文献１】特開２００４−２７８００１号
【発明の開示】
【発明が解決しようとする課題】
【０００４】
上記した従来の管体の接続構造には、以下に記載するような問題点があった。
問題点１．浴槽や洗面台、流し台等の排水機器が設置される位置は、施工現場ごとに数ミリメートル乃至数センチメートル単位での誤差がある。
このため、工場等で事前に完全に適切な長さ、つまり現場での切断加工等の長さ調整が不要な管体を用意することは不可能で、施工現場で、それぞれの機器の位置に合わせて管体を切断する等して長さを調整する作業、いわゆる「取り合い調整」が必要となる。
通常のパイプ管のような、同じ断面形状が連続する管体を、ナットや接着剤を利用して接続する接続構造であれば、接続用に充分長い管体を用意し、施工現場で接続箇所の長さを測定し、適切な長さに切断加工した上で接続を行うことができるため、この取り合い調整を行うことには何ら支障が無かった。
しかしながら、特許文献１に記載の排水機器の接続構造では、上記のように、挿入管部また受入管部はそれぞれに爪部また凹部を設ける必要があり、この爪部・凹部の位置を管体の端部に対して移動させる、ということはできない。また、取り合い調整のために挿入管部や受入管部を切断する、ということも、形状変化により接続構造に不具合が生じるためできない。このため、特許文献１に記載の排水機器の接続構造では、軸方向に対して取り合い調整が必要な箇所には利用できない構造となっていた。
問題点２．挿入管部を受入管部に接続する作業は、爪部の傾斜面を利用して無理やり挿入管部を受入管部に挿入する作業である。このため、機器に故障が生じて接続を解除する必要が生じたとしても、傾斜面が利用できない抜脱の作業を行うことはほぼ不可能であり、後日受入管部から挿入管部を抜脱する必要が生じても抜脱できない、という問題があった。
本発明は上記問題点に鑑み発明されたものであって、管体の接続構造について、接続作業の際、取り合い調整が可能で、且つ簡易確実に接続を行うと共に、必要に応じて接続を解除して分離することも行うことができる、管体の接続構造を提供するためのものである。
【課題を解決するための手段】
【０００５】
請求項１に記載の本発明は、管体の接続箇所に用いられる、管体の接続構造であって、一方の管体に設けられた、同一の外側断面形状が軸に沿って連続する樹脂材からなる挿入管部１と、他方の管体に設けられた、該挿入管部１が挿入される受入管部２と、該受入管部２に、少なくとも受入管部２の軸方向に対して固定されると共に、挿入管部１の側面に食い込んで咬止する咬止刃４を備えた咬止部材３と、からなる管体の接続構造である。
【０００６】
請求項２に記載の本発明は、上記管体の接続構造において、咬止部材３を、受入管部２の軸方向に対して固定した後、挿入管部１を受入管部２に挿入することで、挿入管部１を咬止部材３に咬止させることを特徴とする、段落０００５に記載の管体の接続構造である。
【０００７】
請求項３に記載の本発明は、  上記管体の接続構造において、咬止部材３を挿入管部１に仮止めした後、咬止部材３と共に挿入管部１を受入管部２に挿入することで、受入管部２が咬止部材３を、受入管部２の軸方向に対して固定すると共に、咬止部材３が挿入部材を、受入管部２の軸方向に対して固定することを特徴とする、段落０００５に記載の管体の接続構造である。
【０００８】
請求項４に記載の本発明は、上記管体の接続構造において、咬止部材３を受入管部２に対して仮止めすると共に、挿入管部１を咬止部材３に対して仮止めした後、咬止部材３と受入管部２の軸方向への確実な固定、及び挿入管部１と受入管部２との確実な咬止を行う固定部材５を接続することを特徴とする、段落０００５に記載の管体の接続構造である。
尚、本発明で言う仮固定、又は仮止めとは、一時的に接続状態を維持できるものの、配管接続に通常生じる程度の応力や衝撃、また長期間の使用においては接続が外れてしまう程度の強さでの接続であり、確実な固定接続とは、配管接続に通常生じる程度の応力や衝撃、また長期間の使用においても接続が外れることが無い、又は意図して外そうとしない限り外れない程度の強さで接続が行われている状態を示すものである。
【０００９】
請求項５に記載の本発明は、上記管体の接続構造において、挿入管部１が軸方向視円形形状を成すと共に、咬止部材３と受入管部２の軸方向への固定が行われた状態で、受入管部２に対し挿入管部１が回転可能に接続されてなることを特徴とする、段落０００５乃至段落０００８のいずれか一つに記載の管体の接続構造である。
【００１０】
請求項６に記載の本発明は、上記管体の接続構造において、咬止刃４が挿入管部１の周縁に沿って配置されたことで、受入管部２に対し挿入管部１が回転可能に接続されてなることを特徴とする、段落０００９に記載の管体の接続構造である。
【００１１】
請求項７に記載の本発明は、上記管体の接続構造において、咬止刃４が挿入管部１の中心軸方向に沿って複数設けられていることを特徴とする、段落０００５乃至段落００１０のいずれか一つに記載の管体の接続構造である。
【００１２】
請求項８に記載の本発明は、上記管体の接続構造において、挿入管部１と受入管部２の接続が完了したことを表示する表示窓６を設けると共に、
該表示窓６への操作によって、挿入管部１と受入管部２の接続を解除することが可能に構成されたことを特徴とする、段落０００５乃至段落００１１のいずれか一つに記載の管体の接続構造である。
【発明の効果】
【００１３】
請求項１に記載の本発明においては、同一の外側断面形状が軸に沿って連続する樹脂材からなる挿入管部と、挿入管部の樹脂材に咬止可能な金属材からなる咬止刃を用いた受入管部とで、両者の接続を行うよう構成したことで、挿入管部を任意の長さ（位置）で切断しても、挿入管部と受入管部の接続を行うことができるようになり、取り合い調整が必要な排水機器の接続部分に利用することが可能となった。
請求項２乃至請求項４に記載の本発明においては、接続の具体的な構造と、その際の手順を明確化することができた。
請求項５に記載の発明においては、受入管部に挿入管部を挿入し、接続した後に、受入管部に対し挿入管部を回転させることが可能な為、例えば受入管部がＬ字形状の管体の一端に備えられている場合等、方向性を有する形状を成す場合に、方向の調整を行うのに有効である。
請求項６に記載の発明においては、請求項５に記載の発明の具体的な構成を明確化できる。
請求項７に記載の発明においては、咬止刃が挿入管部の中心軸方向に沿って複数設けられていることで、咬止の強度が増し、接続を強固に行うことができる。
請求項８に記載の発明においては、表示窓を利用し受入管部と挿入管部の接続を明確に確認できると共に、該表示窓を利用して、受入管部と挿入管部の接続を解除することができ、作業の確実性とメンテナンス性を向上することができる。
【図面の簡単な説明】
【００１４】
【図１】第一実施例の管体の接続構造を採用した流し台の断面図である。
【図２】第一実施例の管体の接続構造を示す断面図である。
【図３】第一実施例の管体の接続構造を示す、一部を切り欠きした斜視図である。
【図４】第一実施例の部材構成を示す断面図である。
【図５】第一実施例の部材構成を示す、一部を切り欠きした斜視図である。
【図６】第一実施例の咬止部材を示す、（ａ）平面図、（ｂ）斜視図、である。
【図７】図６の、（ａ）Ａ−Ａ断面図（ｂ）Ａ−Ａにて断面とした斜視図、である。
【図８】第二実施例の接続手順を示す断面図である。
【図９】第二実施例の管体の接続構造を示す断面図である。
【図１０】第二実施例の管体の接続構造を示す、一部を切り欠きした斜視図である。
【図１１】第二実施例の部材構成を示す断面図である。
【図１２】第二実施例の部材構成を示す、一部を切り欠きした斜視図である。
【図１３】第二実施例の咬止部材を示す、（ａ）平面図、（ｂ）斜視図、である。
【図１４】図１３の、（ａ）Ｂ−Ｂ断面図（ｂ）Ｂ−Ｂにて断面とした斜視図、である。
【図１５】第二実施例の接続手順を示す断面図である。
【図１６】第三実施例の管体の接続構造を示す断面図である。
【図１７】第三実施例の管体の接続構造を示す、一部を切り欠きした斜視図である。
【図１８】第三実施例の部材構成を示す断面図である。
【図１９】第三実施例の部材構成を示す、一部を切り欠きした斜視図である。
【図２０】第三実施例の咬止部材を示す、（ａ）平面図、（ｂ）斜視図、である。
【図２１】図２０の、（ａ）Ｃ−Ｃ断面図（ｂ）Ｃ−Ｃにて断面とした斜視図、である。
【図２２】第三実施例の接続手順を示す断面図である。
【図２３】第三実施例の接続手順を示す断面図である。
【図２４】他の咬止部材を示す斜視図である。
【図２５】図２４の咬止部材を継手管に接続した状態を示す斜視図である。
【実施例】
【００１５】
以下に、本発明の第一実施例を、図面を参照しつつ説明する。尚、以下の第一実施例の説明では、図１又は図２に基づいて上下／左右方向を説明してなるが、発明の実施においては、必ずしも説明におけるそれぞれの方向に合わせて方向を定める必要は無く、発明の実施形態に合わせて上下を水平方向に変更する等して構わない。
図１乃至図８に示した、本発明の第一実施例の管体の接続構造は、以下に記載した流し台Ｋ、排水器本体７、継手管８、トラップ部材９、排水接続管１０、等の部材からなる排水配管において採用されてなる。
流し台Ｋは、槽体としての、上方が開口した箱体からなるシンクＳと、該シンクＳを載架するキャビネットＣからなる。また、シンクＳの底面には排水器本体７を取り付ける取付孔を備えてなる。
排水器本体７は、取付孔に取り付けされる、有底略椀形状を成す平面視円形形状の部材であって、上方にシンクＳ内の排水が流入する排水口７ａを、側面上端の周縁に、外方向に突出したフランジ部７ｃを、フランジ部７ｃの下方側面に雄ネジを、それぞれ設けてなる。
更に、雄ネジの下方に、排水口７ａからの排水を排出する排出口７ｂとして、以下に記載する受入管部２を備えてなる。
受入管部２は、略水平方向に向かって形成された、円筒形状の部分であって、挿入管部１が挿入される、後述する溝部を除き内形形状が挿入管部１の外形形状と同一で、若干だけ大径となる受入部２ａと、受入部２ａよりも端部側に設けられた、受入部２ａより外径方向に拡径する段部２ｂと、受入管部２の端部外側面に形成した雄ネジと、から構成されてなる。
また、受入部２ａの内周面には、円周に沿って溝部を形成してなり、この溝部内に、ゴムなどの弾性素材からなり、断面円形形状のリング体であるＯリングＯを収納してなる。
また、受入管部２には、以下に記載する、咬止部材３及び固定部材５を備えてなる。
また、本発明の第一実施例では、排水器本体７の雄ネジと螺合する雌ネジを備えたナット部材７ｄを備えてなる。
咬止部材３は、図６、図７に示した、金属製のリング体であって、一方の端部に軸方向に沿って複数の切り欠き部３ｂを設け、また切り欠き部３ｂ側の端部を内側に折り曲げることで、その端部を、挿入管部１の表面を咬止する咬止刃４に形成している。この実施例では、咬止刃４側の端部は、根元側で約３０度程度内側に向かって折り曲げられた後、更に先端側で折り返すように折り曲げられて構成されている。また、該咬止刃４は、リング体である咬止部材３の周縁に沿って整列するように配置されてなる。
固定部材５は、内部に受入管部２の雄ネジと螺合する雌ネジを備えた、略円筒形状を成す袋ナットであって、咬止部材３を挿入管部１の段部２ｂ内に収納した状態で、固定部材５を受入管部２に螺合させて固定させることで、咬止部材３を、受入管部２内に、受入管部２の軸方向に対して固定することができる。また、受入管部２に挿入管部１が挿入される際、切り欠きによって咬止刃４が若干拡径することが可能なだけの隙間空間を有するように構成されてなる。
継手管８は、断面が同一形状及び寸法である、円径形状が軸方向に沿って連続するＬ字形状を成す管体であって、ポリエチレン等の硬質樹脂からなり、長短二つの管体の内、長い側の管体の端部が、後述する受入管部２に対応する挿入管部１として機能する。
トラップ部材９は、管体をＳ字形状に屈曲させた部材であって、上流側の端部は継手管８の下流側端部に接続される。
排水接続管１０は、トラップ部材９の下流側端部から、下水側の配管に繋がる床下配管までを接続する直管からなる部材である。
【００１６】
上記のように構成した管体の接続構造を採用した排水配管は、以下のようにして槽体である流し台ＫのシンクＳに施工される。
尚、特に詳述しないが、排水配管の接続箇所は、明記した受入管部２以外の接続箇所でも、必要に応じてネジやナット、パッキング等を使用し、水密的な接続を行っている。
まず、実際に接続を行う前の準備として、排水器本体７の受入管部２内に咬止部材３を収納し、更に固定部材５にて咬止部材３を受入管部２の軸方向に対し固定する。具体的には、リング状を成す咬止部材３を、金属刃側が受入管部２の端部側を向くようにして受入管部２の段部２ｂ内に収納し、更に固定部材５の雌ネジを、受入管部２の雄ネジに螺合させることで、図８の排水器本体７のようにすることができる。咬止部材３を受入管部２の軸方向に対して固定する。この螺合作業は、事前に工場などで専用の治具等を利用し、簡単且つ確実に行うことができる。上記のように咬止部材３は受入管部２の軸方向に対して固定されているが、受入管部２内周また咬止部材３外周は共に円形形状の為、受入管部２（又は咬止部材３）の中心軸を中心として回転させることは可能である。
また、同じく実際に接続を行う前の準備として、取り合い調整、即ち継手管８の挿入管部１を含む各部材の長さを、施工現場にて実際の配置及び部材と組み合わせるなどして、適切な長さを確認し、その長さに切断し、調整する作業を行う。
上記を行った上で、以下のようにして槽体である流し台ＫのシンクＳに排水配管を施工する。
まず、流し台ＫのシンクＳの取付孔に、排水器本体７を取付孔上方から挿通し、フランジ部７ｃの下面が取付孔の周縁に当接するように配置する。
この状態からナット部材７ｄの雌ネジを排水器本体７の雄ネジに螺合させて、フランジ部７ｃの下面とナット部材７ｄの上面とで取付孔を挟持させ、排水器本体７をシンクＳに取り付け固定する。
更に、排水器本体７の受入管部２に、継手管８の挿入管部１を挿入して接続を行う。
詳述すると、挿入管部１は、前述のように、外側面が同じ径にして同じ円形の断面形状を軸に沿って連続して形成されてなるため、必要な長さ位置で切断しても、端部部分の形状に変化は生じることはなく、接続の際に形状変化による不具合が生じない。
その上で、図８に示した状態から、受入管部２に挿入管部１を挿入すると、挿入時、咬止刃４が、受入管部２の端部とは逆の方向を向いていることから、挿入管部１が受入管部２に対して移動している状態では、挿入管部１の表面を咬止部材３の咬止刃４が滑るため、支障なく挿入を行うことができる。この時、咬止刃４は咬止部材３に切り欠きが設けられていることと、固定部材５と咬止部材３との間に隙間が設けられていることから若干拡径して挿入管部１を通過させる。
挿入管部１が受入管部２の充分奥まで移動したところで、受入管部２に対して挿入管部１を停止させると、切り欠き部３ｂによって拡開していた咬止刃４部分が、咬止部材３を構成する金属材の弾性作用によって受入管部２の中心軸側、即ち挿入管部１の表面側に付勢される。
この弾性による付勢によって、または挿入管部１を受入管部２から引き抜く方向に応力が作用した時の、挿入管部１の移動する方向と咬止刃４の向きによって、咬止刃４が挿入管部１の表面に食い込んで咬持されて、挿入管部１が、咬止部材３の軸方向に対して固定される。
このように、咬止部材３が受入管部２に対して軸方向に固定されており、更に挿入管部１が咬止部材３に対して軸方向に咬持固定された結果、咬持部材を介して挿入管部１が受入管部２に対して軸方向に固定される。
尚、上記のように、この固定は、同心円状に配置される受入管部２、咬止部材３、挿入管部１の、軸方向に対する固定であって、同心円の軸を中心とした回転方向に対しては特に固定されていない。これは、前述のように、受入管部２に対して咬止部材３が同心円の軸を中心とした回転方向に対しては固定されておらず、両者の間が回転自在なことと、咬止部材３の咬止刃４が、リング体である咬止部材３の周縁に沿って整列するように配置されてなることで、咬止刃４に沿う方向、即ち周縁に沿って回転する方向に対しては、咬止部材３に対して挿入管部１が移動可能であることによる。
更に、継手管８の下流側端部にトラップ部材９を、更にトラップ部材９の下流側端部に排水接続管１０の上流側端部を接続し、排水接続管１０の下流側端部を床下配管に接続して、本発明の第一実施例の、管体の接続構造を採用した排水配管の施工が完了する。
【００１７】
上記のように施工された流し台Ｋの排水配管において、流し台Ｋを使用し、シンクＳ内に排水が生じると、排水は、シンクＳ内から排水口７ａを通過し、排水器本体７内部からトラップ部材９、排水接続管１０内部を通過し、最終的に床下配管から下水側に排出される。また、この時、トラップ部材９内部に排水が溜まることで、トラップ部材９の排水の流路の一部が満水状態となる。これにより、下水側からの臭気や害虫類の逆流が防止される、トラップ機能を生じる。
尚、排水器本体７の受入管部２と、継手管８の挿入管部１とは、受入管部２の溝部に収納されたＯリングＯを介して水密的に接続されているため、漏水が生じることが無い。ＯリングＯは、受入管部２の内周面と挿入管部１の外周面の間に配置されており、受入管部２の内周面と挿入管部１の外周面の間隔は挿入管部１の差し込み深さに関係なく一定であるため、この隙間幅に合わせてＯリングＯの大きさ等形状を調整しておけば、挿入管部１を受入管部２のＯリングＯ位置まで挿入することで、確実に水密的な接続を行うことができる。
【００１８】
上記実施例においては、咬止刃４の挿入管部１表面に傷を設けるようにして食い込み、咬止する構造を利用して、挿入管部１を受入管部２の軸方向に対して固定しており、そのままでは、軸に沿って受入管部２から挿入管部１を抜脱する方向に応力を加えても挿入管部１が抜脱することはない。
上記実施例において、継手管８や排水接続管１０内部の清掃や、部材が破損し交換等にて対応を行う場合には、固定部材５と受入管部２の螺合を解除することで、挿入管部１から受入管部２を引き抜くことができる。
【００１９】
以下に、本発明の第二実施例を、図面を参照しつつ説明する。尚、以下の実施例の説明では、図９に基づいて上下／左右方向を説明してなるが、発明の実施においては、必ずしも説明におけるそれぞれの方向に合わせて方向を定める必要は無く、発明の実施形態に合わせて上下を水平方向に変更する等して構わない。
図９乃至図１５に示した、本発明の第二実施例の管体の接続構造は、以下に記載した流し台Ｋ、排水器本体７、継手管８、トラップ部材９、咬止部材３、排水接続管１０、等の部材からなる排水配管において採用されてなる。
流し台Ｋは、段落００１５に記載した流し台Ｋと同様の構成を備えてなる（流し台Ｋに対する施工の構造もほぼ同じなため、図示は省略する）。
排水器本体７は、取付孔に取り付けされる、有底略椀形状を成す平面視円形形状の部材であって、上方にシンクＳ内の排水が流入する排水口７ａを、側面上端の周縁に、外方向に突出したフランジ部７ｃを、フランジ部７ｃの下方側面に雄ネジを、それぞれ設けてなる。
更に、雄ネジの下方に、排水口７ａからの排水を排出する排出口７ｂを備えてなる。
継手管８は、断面が同一形状及び寸法である、円径形状が軸方向に沿って連続するＬ字形状を成す管体であって、ポリエチレン等の硬質樹脂からなり、長短二つの管体の内、短い側の管体の端部が、後述する受入管部２に対応する挿入管部１として機能する。
トラップ部材９は、管体をＳ字形状に屈曲させた部材であって、上流側の端部には、以下に記載する受入管部２を備えてなる。
受入管部２は、上方向に向かって形成された、円筒形状の部分であって、上記した継手管８の下流側端部が接続される。
受入管部２について詳述すると、挿入管部１が挿入される受入部２ａと、受入部２ａ上の同じ高さ位置に複数個所設けた、受入部２ａの内外を貫通する表示窓６、及び受入部２ａの内周面であって、後述する咬止部材３の係合部３ａを表示窓６にガイドするガイド溝１１を備えてなる。
また、受入部２ａの内周面であって、表示窓６よりも下方には、円周に沿って溝部を形成してなり、この溝部内に、ゴムなどの弾性素材からなり、断面円形形状のリング体であるＯリングＯを収納してなる。
また、本発明の第二実施例では、排水器本体７の雄ネジと螺合する雌ネジを備えたナット部材７ｄを備えてなる。
咬止部材３は、図１３、図１４に示した、軸方向視略Ｃ字形状を成す、挿入管部１の外径とほぼ同一の内径を有する金属製のリング状の部材であって、上端から下端までを貫通する切り欠き部３ｂを設け、また上端及び下端の複数個所に、挿入管部１の表面を咬止する咬止刃４を形成している。該咬止刃４は、軸方向視、上方の咬止刃４と下方の咬止刃４がそれぞれ重なる位置関係に、周縁に沿って内側に向いた咬止刃４を備えてなる。施工完了時、この咬止部材３は挿入管部１と同心円状に配置されるため、咬止刃４が挿入管部１の中心軸方向に沿って上下二か所、即ち複数設けられていることとなる。
また、咬止部材３は、その中間箇所に、外周方向に向かって金属の弾性を利用して弾性変形し、受入管部２の表示窓６と係合する係合部３ａを複数個所に備えてなる。係合部３ａについて詳述すると、係合部３ａは断面視上方の辺がリング状部分の側面に対し略垂直となるように外側に突出し、この突出部分の外側端部から内周側に傾斜する、赤色に着色された傾斜面を備えた、略直角三角形形状を有してなる。施工時には、この係合部３ａの上方側の辺が、表示窓６の上端面と当接するようにして係止すると共に、表示窓６には傾斜面の赤色の表示が表示されて適正に接続が成されたことを確認することができる。
排水接続管１０は、トラップ部材９の下流側端部から、下水側の配管に繋がる床下配管までを接続する直管からなる部材である。
【００２０】
上記のように構成した管体の接続構造を採用した排水配管は、以下のようにして槽体である流し台ＫのシンクＳに施工される。
尚、特に詳述しないが、排水配管の接続箇所は、明記した受入管部２以外の接続箇所でも、必要に応じてネジやナット、パッキング等を使用し、水密的な接続を行っている。
まず、実際に接続を行う前の準備として、取り合い調整、即ち継手管８の挿入管部１を、施工現場にて実際の配置及び部材と組み合わせるなどして、適切な長さを確認し、その長さに切断し、調整する作業を行う。
上記を行った上で、以下のようにして槽体である流し台ＫのシンクＳに排水配管を施工する。
まず、流し台ＫのシンクＳの取付孔に、排水器本体７を取付孔上方から挿通し、フランジ部７ｃの下面が取付孔の周縁に当接するように配置する。
この状態からナット部材７ｄの雌ネジを排水器本体７の雄ネジに螺合させて、フランジ部７ｃの下面とナット部材７ｄの上面とで取付孔を挟持させ、排水器本体７をシンクＳに取り付け固定する。
次に、排水器本体７の排出口７ｂに、継手管８の上流側端部を接続する。
更に、継手管８の下流側端部、即ち挿入管部１と、トラップ部材９の受入管部２の接続を行う。
挿入管部１と受入管部２の接続について、以下に詳述する。
まず、挿入管部１の外側面の適正な位置に、図１５に示したように、咬止部材３を配置する。咬止部材３は軸方向視Ｃ字形状であることから明らかなように、リング状部分の一側面に上端から下端に渡って切り欠き部３ｂが設けられているため、これを利用して拡径することができ、拡径を利用して挿入部材の外側面に配置することができる。
この状態から挿入管部１を受入管部２に挿入すると、咬止部材３の外側面が挿入管部１の挿入部内周面に当接することで、咬止部材３のリング状部分が拡径できる空間が無くなり、結果切り欠き部２ｃ分が拡開できなくなり、更に咬止刃４が挿入管部１の表面に食い込んで咬止部材３が挿入管部１を咬止する。更に、咬止部材３の係合部３ａは、平坦に近い状態に弾性変形しつつ、受入部２ａの内周面に設けられたガイド溝１１によって点検窓に向かってガイド（誘導）され、最終的に表示窓６に達した時点で元の略三角形形状に変形して、前述のように、係合部３ａ上方の辺が、表示窓６の上端面と当接するようにして係止・係合する。また、表示窓６には傾斜面の赤色の表示が表示されて適正に接続が成されたことを確認することができる。
このようにして、咬止部材３が受入管部２に対して軸方向に固定され、更に挿入管部１が咬止部材３に対して軸方向に固定された結果、挿入管部１が受入管部２に対して軸方向に固定される。
尚、この固定は、同心円状に配置される受入管部２、咬止部材３、挿入管部１の軸方向に対する固定であって、同心円の軸を中心とした回転方向に対しては特に固定されていない。これは、咬止部材３の咬止刃４が、リング状を成す部材である咬止部材３の周縁に沿って整列するように配置されてなることで、咬止刃４に沿う方向、即ち周縁に沿って回転する方向に対しては、咬止部材３に対して挿入管部１が移動可能であることによる。
更に、トラップ部材９の下流側端部に排水接続管１０の上流側端部を接続し、排水接続管１０の下流側端部を床下配管に接続して、本発明の第二実施例の、管体の接続構造を採用した排水配管の施工が完了する。
【００２１】
上記のように施工された流し台Ｋの排水配管において、流し台Ｋを使用し、シンクＳ内に排水が生じると、排水は、シンクＳ内から排水口７ａを通過し、排水器本体７内部からトラップ部材９、排水接続管１０内部を通過し、最終的に床下配管から下水側に排出される。また、この時、トラップ部材９内部に排水が溜まることで、トラップ部材９の排水の流路の一部が満水状態となる。これにより、下水側からの臭気や害虫類の逆流が防止される、トラップ機能を生じる。
尚、排水器本体７の受入管部２と、継手管８の挿入管部１とは、受入管部２の溝部に収納されたＯリングＯを介して水密的に接続されているため、漏水が生じることが無い。ＯリングＯは、受入管部２の内周面と挿入管部１の外周面の間に配置されており、受入管部２の内周面と挿入管部１の外周面の間隔は挿入管部１の差し込み深さに関係なく一定であるため、この隙間幅に合わせてＯリングＯの大きさ等形状を調整しておけば、挿入管部１を受入管部２のＯリングＯ位置まで挿入することで、確実に水密的な接続を行うことができる。
【００２２】
上記第二実施例においては、咬止刃４が継手管８の挿入管部１表面に傷を設けるようにして食い込み、咬止することで、挿入管部１を受入管部２の軸方向に対して固定しており、そのままでは、軸に沿って受入管部２から挿入管部１を抜脱する方向に応力を加えても挿入管部１が抜脱することはない。
また、咬止刃４が、咬止部材３の上端及び下端の複数個所であって、軸方向視、上方の咬止刃４と下方の咬止刃４がそれぞれ重なる位置関係に、周縁に沿って内側に向いて設けられているため、リング体部分の上方のみ、または下方のみに咬止刃４を備えた場合より確実且つ強固に咬止部材３と挿入管部１との接続を行うことができる。
また、上記実施例において、継手管８や排水接続管１０内部の清掃や、部材が破損し交換等にて対応を行う場合には、ドライバー等の棒状の部材にて、全ての点検窓の係合部３ａを内径側に押し圧し、咬止部材３と受入管部２との接続を解除することで、挿入管部１から受入管部２を引き抜くことができる。
【００２３】
以下に、本発明の第三実施例を、図面を参照しつつ説明する。尚、以下の実施例の説明では、図１６に基づいて上下／左右方向を説明してなるが、発明の実施においては、必ずしも説明におけるそれぞれの方向に合わせて方向を定める必要は無く、発明の実施形態に合わせて上下を水平方向に変更する等して構わない。
図１６乃至図２３に示した、本発明の第三実施例の管体の接続構造は、以下に記載した流し台Ｋ、排水器本体７、継手管８、トラップ部材９、咬止部材３、排水接続管１０、固定部材５、等の部材からなる排水配管において採用されてなる。
流し台Ｋは、段落００１５に記載した流し台Ｋと同様の構成を備えてなる（流し台Ｋに対する施工の構造もほぼ同じなため、図示は省略する）。
排水器本体７は、取付孔に取り付けされる、有底略椀形状を成す平面視円形形状の部材であって、上方にシンクＳ内の排水が流入する排水口７ａを、側面上端の周縁に、外方向に突出したフランジ部７ｃを、フランジ部７ｃの下方側面に雄ネジを、それぞれ設けてなる。
更に、雄ネジの下方に、排水口７ａからの排水を排出する排出口７ｂを備えてなる。
継手管８は、Ｌ字形状を成す管体であって、ポリエチレン等の硬質樹脂からなる。
トラップ部材９は、管体をＳ字形状に屈曲させた部材であって、下流側の端部には、以下に記載する受入管部２を備えてなる。
受入管部２は、下方向に向かって形成された、円筒形状の部分であって、後述する排水接続管１０の上流側端部が接続される。
受入管部２について詳述すると、挿入管部１が挿入される受入部２ａと、受入部２ａの下端から途中部分まで設けられた、中心軸に沿う方向に設けられた複数の切り欠きと、切り欠きのある高さ位置の内周面に、周縁に沿って設けられた凹溝からなる係合溝２ｃと、受入部２ａの外周面に設けられた突条部２ｄと、を設けてなる。
また、受入部２ａの内周面であって、切り欠きの上端よりも上方（上流側）には、円周に沿って溝部を形成してなり、この溝部内に、ゴムなどの弾性素材からなり、断面円形形状のリング体であるＯリングＯを収納してなる。
また、本発明の第三実施例では、排水器本体７の雄ネジと螺合する雌ネジを備えたナット部材７ａを備えてなる。
咬止部材３は、図２０、図２１に示した、軸方向視略Ｃ字形状を成す、上端から下端までを貫通する切り欠き部３ｂを設け、挿入管部１の外径とほぼ同一の内径を有する金属製のリング状の部材であって、上端及び下端の複数個所に、挿入管部１の表面を咬止する咬止刃４を形成している。該咬止刃４は、軸方向視、上方の咬止刃４と下方の咬止刃４がそれぞれ重なる位置関係に、周縁に沿って内側に向いた咬止刃４を備えてなる。施工完了時、この咬止部材３は挿入管部１と同心円状に配置されるため、咬止刃４が挿入管部１の中心軸方向に沿って上下二か所、即ち複数設けられていることとなる。
また、咬止部材３は、その中間箇所に、外周方向に向かって受入管部２の係合溝２ｃと係合する、外側面方向に突出した凸条である係合部３ａを複数個所に備えてなる。
固定部材５は、円筒形状にして、内部に受入管部２の突条部２ｄと嵌合する嵌合溝５ａを内周縁に沿って備えた部材であって、施工時、受入管部２の外周を覆うように配置し、受入管部２の突条部２ｄと固定部材５の嵌合溝５ａを嵌合固定させることで、受入部２ａに備えられた切り欠きが拡がり受入部２ａが拡開することを、防止するように構成されてなる。
排水接続管１０は、トラップ部材９の下流側端部から、下水側の配管に繋がる床下配管までを接続する、硬質塩化ビニルからなる部材であって、断面が同一形状及び寸法である、円径形状が直線状に連続してなる。その一方の端部が挿入管部１として機能する。尚、両方の端部は同一形状であり、排水接続管１０のいずれか一方が特に挿入管部１として構成されているのでは無く、単にトラップ部材９と接続する側が挿入管部１として使用されるものである。
【００２４】
上記のように構成した管体の接続構造を採用した排水配管は、以下のようにして槽体である流し台ＫのシンクＳに施工される。
尚、特に詳述しないが、排水配管の接続箇所は、明記した受入管部２以外の接続箇所でも、必要に応じてネジやナット、パッキング等を使用し、水密的な接続を行っている。
まず、実際に接続を行う前の準備として、取り合い調整、即ち排水接続管１０の挿入管部１を、施工現場にて実際の配置及び部材と組み合わせるなどして、適切な長さを確認し、その長さに切断し、調整する作業を行う。
上記を行った上で、以下のようにして槽体である流し台ＫのシンクＳに排水配管を施工する。
まず、流し台ＫのシンクＳの取付孔に、排水器本体７を取付孔上方から挿通し、フランジ部７ｃの下面が取付孔の周縁に当接するように配置する。
この状態からナット部材７ｄの雌ネジを排水器本体７の雄ネジに螺合させて、フランジ部７ｃの下面とナット部材７ｄの上面とで取付孔を挟持させ、排水器本体７をシンクＳに取り付け固定する。
次に、継手管８の上流側端部を排水器本体７の排出口７ｂと、継手管８の下流側端部をトラップ部材９の受入管部２と、それぞれ接続する。
特に、挿入管部１と受入管部２の接続について、以下に詳述する。
まず、図２２に示したように、挿入管部１の外側面の適正な位置に、咬止部材３を配置する。咬止部材３は軸方向視Ｃ字形状であることから明らかなように、リング状部分の一側面に上端から下端に渡って切り欠き部３ｂ分が設けられているため、これを利用して拡径することができ、拡径を利用して挿入部材の外側面に配置することができる。また、排水接続管１０を、事前に固定部材５の円筒部分に挿通しておく。
この状態から、図２３に示したように、挿入管部１を受入管部２に挿入すると、受入管部２の受入部２ａが、切り欠きを設けられていることで拡径し、咬止部材３ごと挿入管部１を受入管部２の受入部２ａ内に収納することができる。この受入部２ａの拡径を利用し、咬止部材３の係合部３ａを受入部２ａの係合溝２ｃに係合させる。
この状態では、受入部２ａは切り欠きが拡径することが可能であり、衝撃や引き抜き方向に応力を加えることで、挿入管部１を受入管部２から容易に抜脱できる、仮固定の状態である。
この状態より、固定部材５を上昇させ、固定部材５の嵌合溝５ａを、受入管部２の突条部２ｄに嵌合させて、固定部材５を受入管部２に嵌合固定する。
この嵌合により、受入部２ａの切り欠きの拡径が、固定部材５により不可能となることで、咬止部材３の咬止刃４が挿入管部１を咬止すると共に、咬止部材３が拡径することが不可能となって、咬止部材３が挿入管部１に対して軸方向に確実に固定され、また、受入管部２が拡径することが不可能となって、咬止部材３が受入管部２に対して軸方向に確実に固定されるため、受入管部２や挿入管部１に衝撃や引き抜き方向に応力を加えても、挿入管部１が受入管部２から抜脱することが困難な、確実な固定状態とすることができる。
尚、この固定は、同心円状に配置される受入管部２、咬止部材３、挿入管部１の軸方向に対する固定であって、同心円の軸を中心とした回転方向に対しては特に固定されていない。これは、咬止部材３の咬止刃４が、リング状を成す部材である咬止部材３の周縁に沿って整列するように配置されてなることで、咬止刃４に沿う方向、即ち周縁に沿って回転する方向に対しては、咬止部材３に対して挿入管部１が回転できることによる。
更に、トラップ部材９の下流側端部に排水接続管１０の上流側端部を接続すると共に、排水接続管１０の下流側端部を床下配管に接続して、本発明の第三実施例の、管体の接続構造を採用した排水配管の施工が完了する。
【００２５】
上記のように施工された流し台Ｋの排水配管において、流し台Ｋを使用し、シンクＳ内に排水が生じると、排水は、シンクＳ内から排水口７ａを通過し、排水器本体７内部からトラップ部材９、排水接続管１０内部を通過し、最終的に床下配管から下水側に排出される。また、この時、トラップ部材９内部に排水が溜まることで、トラップ部材９の排水の流路の一部が満水状態となる。これにより、下水側からの臭気や害虫類の逆流が防止される、トラップ機能を生じる。
尚、排水器本体７の受入管部２と、継手管８の挿入管部１とは、受入管部２の溝部に収納されたＯリングＯを介して水密的に接続されているため、漏水が生じることが無い。ＯリングＯは、受入管部２の内周面と挿入管部１の外周面の間に配置されており、受入管部２の内周面と挿入管部１の外周面の間隔は挿入管部１の差し込み深さに関係なく一定であるため、この隙間幅に合わせてＯリングＯの大きさ等形状を調整しておけば、挿入管部１を受入管部２のＯリングＯ位置まで挿入することで、確実に水密的な接続を行うことができる。
【００２６】
上記第三実施例においては、咬止刃４が排水接続管１０の挿入管部１表面に傷を設けるようにして食い込み、咬止することで、挿入管部１を受入管部２の軸方向に対して固定しており、そのままでは、軸に沿って受入管部２から挿入管部１を抜脱する方向に応力を加えても挿入管部１が抜脱することはない。
また、咬止刃４が、咬止部材３の上端及び下端の複数個所であって、軸方向視、上方の咬止刃４と下方の咬止刃４がそれぞれ重なる位置関係に、周縁に沿って内側に向いて設けられているため、リング体部分の上方のみ、または下方のみに咬止刃４を備えた場合より確実強固に咬止部材３と挿入管部１との接続を行うことができる。
また、上記実施例において、継手管８や排水接続管１０内部の清掃や、部材が破損し交換等にて対応を行う場合には、固定部材５の嵌合溝５ａと、受入部２ａの突条部２ｄとの嵌合を解除し、固定部材５を受入管部２から取り外すことで、受入管部２の受入部２ａを拡径することが可能となり、挿入管部１から受入管部２を引き抜くことが可能となる。
【００２７】
本発明の実施例は以上のようであるが、本発明は上記実施例に限定される物ではなく、主旨を変更しない範囲において自由に変更が可能である。
例えば、上記実施例では、本発明の管体の接続構造を、流し台Ｋの配管構造に採用して構成してなるが、本発明は上記実施例に限定されるものではなく、一般的な管体の接続に支障なく利用することができる。また、洗面台や浴槽・浴室、また洗濯機用防水パン等の様々な排水機器の配管構造、また排水装置の取り付け構造に採用しても構わない。
【００２８】
また、上記実施例では、管体は全て円形形状であるが、適宜円形以外の形状にて構成しても構わない。
【００２９】
また、上記実施例では、第一実施例では管体の接続構造を排水器本体７と継手管８との接続に、第二実施例では管体の接続構造を継手管８とトラップ部材９との接続に、第三実施例では管体の接続構造をトラップ部材９と排水接続管１０との接続に、それぞれ採用してなるが、本発明は上記実施例に限定されるものでは無く、どのような管体の接続箇所に適宜採用しても構わない。また、一組の配管構造の複数個所に採用しても構わない。
【００３０】
また、上記実施例では、第一実施例では管体の接続構造を排水器本体７と継手管８との接続に、第二実施例では管体の接続構造を継手管８とトラップ部材９との接続に、第三実施例では管体の接続構造をトラップ部材９と排水接続管１０との接続に、それぞれ採用してなるが、本発明は上記実施例に限定されるものでは無く、どのような管体の接続箇所に適宜採用しても構わない。また、一組の配管構造の複数個所に採用しても構わない。
【００３１】
また、上記実施例では、咬止刃４を挿入管部１の中心軸に対して垂直な面上に並ぶように配置したが、図２４に示した咬止刃４のように、咬止刃４を挿入管部１の中心軸に沿う方向に設けて構成しても良い。この図２４の咬止部材３は、例えば図２５のように、第二実施例継手管８に使用され、その使用方法（接続の構造・方法）は第二実施例と同一である。但し、この図２４、図２５に示した咬止部材３は、咬止刃４が円周に沿って設けられていない為、挿入管部１の中心軸を中心として回転させることは困難である。
【００３２】
また、上記第一実施例では、咬止部材３を受入管部２に対して固定するのに当たり、別途固定部材５を用意したが、第二実施例のように、受入管部２に開口を設け、咬止部材３はこの開口に嵌合するように構成することで、固定部材５が無くとも、受入管部２に咬止部材３を固定する構造としても良い。
【符号の説明】
【００３３】
１    挿入管部            ２    受入管部
２ａ  受入部              ２ｂ  段部
２ｃ  係合溝              ２ｄ  突条部
３    咬止部材            ３ａ  係合部
３ｂ  切り欠き部          ４    咬止刃
５    固定部材            ５ａ  嵌合溝
６    表示窓              ７    排水器本体
７ａ  排水口              ７ｂ  排出口
７ｃ  フランジ部          ７ｄ  ナット部材
８    継手管              ９    トラップ部材
１０  排水接続管          １１  ガイド溝
Ｃ    キャビネット        Ｋ    流し台
Ｏ    Ｏリング            Ｓ    シンク
【図１】
2016003702.tif 000003
【図２】
2016003702.tif 000004
【図３】
2016003702.tif 000005
【図４】
2016003702.tif 000006
【図５】
2016003702.tif 000007
【図６】
2016003702.tif 000008
【図７】
2016003702.tif 000009
【図８】
2016003702.tif 000010
【図９】
2016003702.tif 000011
【図１０】
2016003702.tif 000012
【図１１】
2016003702.tif 000013
【図１２】
2016003702.tif 000014
【図１３】
2016003702.tif 000015
【図１４】
2016003702.tif 000016
【図１５】
2016003702.tif 000017
【図１６】
2016003702.tif 000018
【図１７】
2016003702.tif 000019
【図１８】
2016003702.tif 000020
【図１９】
2016003702.tif 000021
【図２０】
2016003702.tif 000022
【図２１】
2016003702.tif 000023
【図２２】
2016003702.tif 000024
【図２３】
2016003702.tif 000025
【図２４】
2016003702.tif 000026
【図２５】
2016003702.tif 000027